(57)【要約】【課題】適正視聴範囲を自然に移動することができる立体映像表示装置を提供する【解決手段】。一実施形態における立体映像表示装置のバリアパネルは、下部バリア基板上に順に積層された下部チャネル、チャネル絶縁膜及び上部チャネルを含むことができる。下部チャネルは上部チャネルの間に位置することができる。それぞれの下部チャネルは、第１サブチャネル、第２サブチャネル及び下部絶縁膜を含むことができる。下部絶縁膜は前記第１サブチャネルから離隔することができる。第２サブチャネルは下部絶縁膜に向かう第１サブチャネルの端部領域と連結されることができる。第２サブチャネルは第１サブチャネルに向かう下部絶縁膜の側壁に沿って伸びることができる。これにより、本発明の技術的思想による立体映像表示装置は、下部チャネル間の間隔が最小化することができる。よって、本発明の技術的思想による立体映像表示装置は、視聴者の位置によって適正視聴範囲が自然に移動することができる。【選択図】  図４ｂ
2019082679.tif 000002
【特許請求の範囲】
【請求項１】
表示パネルを駆動するディスプレイ駆動部と、
前記表示パネル上に位置し、バリア基板上に順に積層された下部チャネル、チャネル絶縁膜及び上部チャネルを含むバリアパネルと、
前記下部チャネル及び前記上部チャネルを制御するバリア駆動部とを含み、
前記下部チャネルは隣接した二つの前記上部チャネルの間に位置し、
それぞれの前記下部チャネルは、第１サブチャネル、前記第１サブチャネルと連結される第１端部領域及び前記第１端部領域と対向する第２端部領域を含む第２サブチャネル、及び前記バリア基板と前記第２サブチャネルの前記第２端部領域の間に位置する下部絶縁膜を含む、立体映像表示装置。
【請求項２】
前記上部チャネル間の離隔距離は前記上部チャネルの水平幅と同一である、請求項１に記載の立体映像表示装置。
【請求項３】
それぞれの前記下部チャネルの前記下部絶縁膜は隣接した前記下部チャネルの前記第１サブチャネルを部分的に覆う、請求項１に記載の立体映像表示装置。
【請求項４】
前記第２サブチャネルの前記第１端部領域は前記上部チャネルに向かう当該第１サブチャネルの上部面と直接接触する、請求項３に記載の立体映像表示装置。
【請求項５】
前記第２サブチャネルの前記第２端部領域は隣接した前記下部チャネルの前記第１サブチャネルの一部領域と重畳する、請求項３に記載の立体映像表示装置。
【請求項６】
前記第２端部領域の水平長は前記第１端部領域の水平長と同一である、請求項５に記載の立体映像表示装置。
【請求項７】
視聴者の位置を感知する視聴距離感知部をさらに含み、
前記バリア駆動部は、前記視聴距離感知部の信号によって、前記下部チャネル及び前記上部チャネルに印加される電圧を調節する、請求項１に記載の立体映像表示装置。
【請求項８】
前記表示パネルは、順に積層された下部表示基板、下部発光電極、発光層、上部発光電極及び上部表示基板を含む、請求項１に記載の立体映像表示装置。
【請求項９】
表示パネル上に位置し、アクティブ領域及び前記アクティブ領域の外側に位置する周辺領域を含む下部バリア基板と、
前記下部バリア基板上に位置し、前記アクティブ領域を横切る下部チャネルと、
前記下部チャネル上に位置し、前記アクティブ領域を横切り、隣接した二つの上部チャネルの間に位置する下部チャネルとを含み、
前記下部チャネルは、第１サブチャネル、第２サブチャネル及び前記第１サブチャネルと前記第２サブチャネルの間に位置する下部絶縁膜を含み、
前記下部絶縁膜は前記第１サブチャネルのそれぞれの一側端部を露出する下部コンタクトホールを含み、
それぞれの前記下部コンタクトホールは、当該第１サブチャネルと離隔する第１側壁及び当該第１サブチャネルから重畳する第２側壁を含み、
それぞれの前記第２サブチャネルは当該下部コンタクトホールの第１側壁に沿って伸びて当該第１サブチャネルの一側端部と連結される、立体映像表示装置。
【請求項１０】
それぞれの第２サブチャネルは、当該第１サブチャネルと接触する第１端部領域、前記下部絶縁膜上に位置する第２端部領域及び前記第１端部領域と前記第２端部領域の間に位置する中央領域を含み、
前記中央領域の一部領域は当該下部コンタクトホールの第１側壁上に位置する、請求項９に記載の立体映像表示装置。
【請求項１１】
前記下部バリア基板の前記周辺領域上に位置し、前記アクティブ領域の周縁部に沿って伸びるリンク配線をさらに含み、
前記上部チャネル及び前記下部チャネルは互いに異なるリンク配線と連結される、請求項９に記載の立体映像表示装置。
【請求項１２】
前記リンク配線は前記アクティブ領域の中心を基準に非対称形状である、請求項１１に記載の立体映像表示装置。
【請求項１３】
前記下部絶縁膜は前記下部バリア基板の前記周辺領域上に延在し、
前記リンク配線は前記下部絶縁膜によって覆われる、請求項１１に記載の立体映像表示装置。
【請求項１４】
前記リンク配線は前記第１サブチャネルと異なる物質を含む、請求項１３に記載の立体映像表示装置。
【請求項１５】
前記下部コンタクトホールは前記下部バリア基板の前記周辺領域上に位置する、請求項９に記載の立体映像表示装置。
【発明の詳細な説明】
【技術分野】
【０００１】
本発明はバリアパネルを用いて立体映像を具現する立体映像表示装置に関する。
【背景技術】
【０００２】
一般に、ディスプレイ装置は映像を具現する表示パネルを含む。例えば、ディスプレイ装置は液晶を含む液晶パネル及び／又は有機発光素子を含むＯＬＥＤパネルを含むことができる。
【０００３】
ディスプレイ装置は両眼視差（Ｂｉｎｏｃｕｌａｒ  Ｄｉｓｐａｒｉｔｙ）を用いて立体映像を具現することができる。例えば、立体映像表示装置は表示パネルによって具現された映像を視聴者の左眼と右眼に違って提供することができる。立体映像表示装置はバリアパネルを用いて表示パネルによって具現された映像を分離することができる。
【０００４】
バリアパネルは、透過領域と遮光領域を形成するために並んで配置されたチャネル電極を含むことができる。遮光領域は前記透過領域の間に形成されることができる。例えば、バリアパネルはチャネル電極によって回転するバリア液晶をさらに含むことができる。
【０００５】
バリアパネルは視聴者の位置によって立体映像の適正視聴範囲を移動することができる。例えば、バリアパネルは視聴者の位置によって各チャネル電極に印加される電圧を調節して、透過領域及び遮光領域を移動することができる。これにより、立体映像表示装置は、チャネル電極間の間隔が狭いほど、視聴者の位置による適正視聴範囲の移動が自然になることができる。立体映像表示装置は、隣接したチャネル電極に印加された電圧による誤動作を防止するために、各チャネル電極が隣接したチャネル電極から充分に絶縁されなければならない。これにより、立体映像表示装置は、チャネル電極を多重層構造に形成することにより、隣接したチャネル電極間の離隔距離を減少させることができる。
【０００６】
しかし、チャネル電極の形成工程はパターニング工程を含むので、チャネル電極の積層数が増加するほど立体映像表示装置の製造工程は複雑になることができる。また、チャネル電極の積層数に比例して誤整列の可能性が増加するので、立体映像表示装置は製造収率が減少することがある。
【先行技術文献】
【特許文献】
【０００７】
【特許文献１】特開２０１５−２２５３３９号公報
【発明の概要】
【発明が解決しようとする課題】
【０００８】
本発明が解決しようとする課題は、最小限に積層されたチャネル電極を用いて視聴者の移動によって適正視聴範囲を自然に移動することができる立体映像表示装置を提供することである。
【０００９】
本発明が解決しようとする他の課題は、一定間隔で配置されたチャネル電極の間を最小化することができる立体映像表示装置を提供することである。
【００１０】
本発明が解決しようとする他の課題は先に言及した課題に限定されない。ここで言及しなかった課題は下記の記載から通常の技術者に明確に理解可能であろう。
【課題を解決するための手段】
【００１１】
前記課題を達成するための本発明の技術的思想による立体映像表示装置は、表示パネルを駆動するディスプレイ駆動部を含む。表示パネル上にはバリアパネルが位置する。バリアパネルは、バリア基板上に順に積層された下部チャネル、チャネル絶縁膜及び上部チャネルを含む。下部チャネル及び上部チャネルはバリア駆動部によって制御される。下部チャネルは上部チャネルの間に位置する。それぞれの下部チャネルは、第１サブチャネル、第２サブチャネル及び下部絶縁膜を含む。第２サブチャネルは第１サブチャネルと連結される第１端部領域を含む。下部絶縁膜はバリア基板と第２サブチャネルの第２端部領域の間に位置する。
【００１２】
上部チャネル間の離隔距離は上部チャネルの水平幅と同一であってもよい。
【００１３】
各下部チャネルの下部絶縁膜は隣接した下部チャネルの第１サブチャネルを部分的に覆うことができる。
【００１４】
第２サブチャネルの第１端部領域は上部チャネルに向かう当該第１サブチャネルの上部面と直接接触することができる。
【００１５】
第２サブチャネルの第２端部領域は隣接した下部チャネルの第１サブチャネルの一部領域と重畳することができる。
【００１６】
第２端部領域の水平長は第１端部領域の水平長と同一であってもよい。
【００１７】
視聴距離感知部によって視聴者の位置を感知することができる。バリア駆動部は、視聴距離感知部の信号によって、下部チャネル及び上部チャネルに印加される電圧を調節することができる。
【００１８】
表示パネルは、順に積層された下部表示基板、下部発光電極、発光層、上部発光電極及び上部表示基板を含むことができる。
【００１９】
本発明の技術的思想による他の課題を達成するための本発明の技術的思想による立体映像表示装置は、表示パネル上に下部バリア基板を含む。下部バリア基板はアクティブ領域及び周辺領域を含む。周辺領域はアクティブ領域の外側に位置する。下部バリア基板上には上部チャネルが位置する。上部チャネルはアクティブ領域を横切る。上部チャネルの間には下部チャネルが位置する。下部チャネルはアクティブ領域を横切る。下部チャネルは、第１サブチャネル、第２サブチャネル及び下部絶縁膜を含む。下部絶縁膜は第１サブチャネルと第２サブチャネルの間に位置する。下部絶縁膜は第１サブチャネルのそれぞれの一側端部を露出する下部コンタクトホールを含む。それぞれの第２サブチャネルは第１サブチャネルの間に位置する当該下部コンタクトホールの側壁に沿って伸びて当該第１サブチャネルの一側端部と連結される。
【００２０】
それぞれの下部コンタクトホールは、当該第１サブチャネルと重畳する第１側壁及び当該第１サブチャネルから離隔する第２側壁を含むことができる。それぞれの第２サブチャネルは、当該第１サブチャネルと接触する第１端部領域、下部絶縁膜上に位置する第２端部領域及び第１端部領域と第２端部領域の間に位置する中央領域を含むことができる。中央領域の一部領域は当該下部コンタクトホールの第２側壁上に位置することができる。
【００２１】
下部バリア基板の周辺領域上にはリンク配線が位置することができる。リンク配線はアクティブ領域の周縁部に沿って伸びることができる。上部チャネル及び下部チャネルは互いに異なるリンク配線と連結されることができる。
【００２２】
リンク配線はアクティブ領域の中心を基準に非対称形状であってもよい。
【００２３】
下部絶縁膜は下部バリア基板の周辺領域上に伸びることができる。リンク配線は下部絶縁膜によって覆われることができる。
【００２４】
リンク配線は第１サブチャネルと違う物質を含むことができる。
【００２５】
下部コンタクトホールは下部バリア基板の周辺領域上に位置することができる。
【発明の効果】
【００２６】
本発明の技術的思想による立体映像表示装置は、下部チャネルが下部バリア基板と当該第２サブチャネルの一側端部の間に位置する下部絶縁膜を含むことができる。これにより、本発明の技術的思想による立体映像表示装置は、下部チャネルが密集することができる。すなわち、本発明の技術的思想による立体映像表示装置は、製造収率の減少なしに、視聴者の位置によって立体映像の適正視聴範囲が自然に移動することができる。よって、本発明の技術的思想による立体映像表示装置は、視聴者に提供される立体映像の品質が向上することができる。
【図面の簡単な説明】
【００２７】
【図１】本発明の実施例による立体映像表示装置を概略的に示した図である。
【図２ａ】本発明の実施例による立体映像表示装置の表示パネル及びバリアパネルを示した図である。
【図２ｂ】図２ａのＰ領域を拡大した図である。
【図３ａ】本発明の実施例による立体映像表示装置のバリアパネル上に位置する配線を概略的に示した図である。
【図３ｂ】図３ａのＲ領域を拡大した図である。
【図４ａ】図３ａのＩ−Ｉ’線及び図３ｂのＩＩ−ＩＩ’線に沿って切断した断面を示した図である。
【図４ｂ】図３ｂのＩＩＩ−ＩＩＩ’線に沿って切断した断面を示す図である。
【図５】本発明の他の実施例による立体映像表示装置を示した図である。
【図６ａ】本発明の他の実施例による立体映像表示装置を示した図である。
【図６ｂ】図６ａのＩＶ−ＩＶ’線に沿って切断した断面を示した図である。
【図７】本発明の他の実施例による立体映像表示装置を示した図である。
【図８】本発明の他の実施例による立体映像表示装置を示した図である。
【図９】本発明の他の実施例による立体映像表示装置を示した図である。
【発明を実施するための形態】
【００２８】
本発明の目的と技術的構成及びこれによる作用効果についての詳細な事項は本発明の実施例を示している図面を参照する以下の詳細な説明によってより明らかに理解可能であろう。ここで、本発明の実施例は当業者に本発明の技術的思想が充分に伝達することができるようにするために提供するものなので、本発明は以下で説明する実施例に限定されないように他の形態に具体化することができる。
【００２９】
また、明細書全般にわたって同じ参照番号で表示した部分は同じ構成要素を意味し、図面において層又は領域の長さと厚さは便宜のために誇張して表現されることがある。また、第１構成要素が第２構成要素“上”にあると記載される場合、第１構成要素が第２構成要素と直接接触する上側に位置するものだけではなく、第１構成要素と第２構成要素の間に第３構成要素が位置する場合も含む。
【００３０】
ここで、第１、第２などの用語は多様な構成要素を説明するためのもので、一構成要素を他の構成要素と区別する目的で使う。ただ、本発明の技術的思想を逸脱しない範囲で第１構成要素と第２構成要素は当業者の便宜によって任意に名付けられることができる。
【００３１】
本発明の明細書で使用する用語は単に特定の実施例を説明するために使われるもので、本発明を限定しようとする意図ではない。例えば、単数で表現された構成要素は文脈上明白に単数のみを意味しなければ複数の構成要素を含む。また、本発明の明細書において、“含む”又は“有する”などの用語は明細書上に記載した特徴、数字、段階、動作、構成要素、部分品又はこれらの組合せが存在することを指定しようとするものであり、一つ又はそれ以上の他の特徴、数字、段階、動作、構成要素、部分品又はこれらの組合せなどの存在又は付加の可能性を予め排除しないことを理解しなければならない。
【００３２】
加えて、他に定義しない限り、技術的又は科学的な用語を含めてここで使うすべての用語は本発明が属する技術分野で通常の知識を有する者によって一般的に理解されるものと同一の意味がある。一般的に使われる予め定義されているような用語は関連技術の文脈上で有する意味と一致する意味があるものと解釈しなければならなく、本発明の明細書で明らかに定義しない限り、理想的に又は過度に形式的な意味と解釈されない。
【００３３】
（実施例）
図１は本発明の実施例による立体映像表示装置を概略的に示した図である。図２ａは本発明の実施例による立体映像表示装置の表示パネル及びバリアパネルを示した図である。図２ｂは図２ａのＰ領域を拡大した図である。図３ａは本発明の実施例による立体映像表示装置のバリアパネル上に位置する配線を概略的に示した図である。図３ｂは図３ａのＲ領域を拡大した図である。図４ａは図３ａのＩ−Ｉ’線及び３ｂのＩＩ−ＩＩ’線に沿って切断した断面を示した図である。図４ｂは図３ｂのＩＩＩ−ＩＩＩ’線に沿って切断した断面を示した図である。
【００３４】
図１、図２ａ〜図４ａ及び図２ｂ〜図４ｂを参照すると、本発明の実施例による立体映像表示装置は、表示パネル１００、バリアパネル２００、ディスプレイ駆動部３００及びバリア駆動部６００を含むことができる。
【００３５】
表示パネル１００は視聴者に提供する映像を具現することができる。例えば、表示パネル１００は、順に積層された下部表示基板１１０、発光素子１４０及び上部表示基板１８０を含むことができる。発光素子１４０は、映像を具現するために、特定の色を示す光を放出することができる。例えば、発光素子１４０は、順に積層された下部発光電極１４１、発光層１４２及び上部発光電極１４３を含むことができる。発光層１４２は下部発光電極１４１と上部発光電極１４３間の電圧差に対応する輝度の光を生成することができる。発光層１４２は有機発光物質又は無機発光物質を含むことができる。例えば、本発明の技術的思想による立体映像表示装置の表示パネル１００は有機発光素子を含むＯＬＥＤパネルであってもよい。
【００３６】
表示パネル１００は、下部表示基板１１０と発光素子１４０の間に位置する薄膜トランジスタ１２０及び薄膜トランジスタ１２０を覆うオーバーコート層１３０をさらに含むことができる。発光素子１４０は薄膜トランジスタ１２０によって制御されることができる。オーバーコート層１３０は薄膜トランジスタ１２０による段差を除去することができる。オーバーコート層１３０は薄膜トランジスタ１２０と発光素子１４０の間に位置することができる。例えば、オーバーコート層１３０は下部発光電極１４１を薄膜トランジスタ１２０と電気的に連結するためのコンタクトホールを含むことができる。
【００３７】
表示パネル１００は下部発光電極１４１の周縁部を覆うバンク絶縁膜１５０をさらに含むことができる。バンク絶縁膜１５０は各発光素子１４０の下部発光電極１４１を隣接した発光素子１４０の下部発光電極１４１から絶縁することができる。これにより、本発明の技術的思想による立体映像表示装置の表示パネル１００は独立的に駆動される多数の発光素子１４０を含むことができる。
【００３８】
表示パネル１００は、発光素子１４０と上部表示基板１８０の間に位置する上部保護膜１６０及び封止層１７０をさらに含むことができる。上部保護膜１６０は外部衝撃及び水分から発光素子１４０を保護することができる。封止層１７０は上部保護膜１６０と上部表示基板１８０の間に位置することができる。上部表示基板１８０は封止層１７０を介して、上部保護膜１６０が形成された下部表示基板１１０と結合されることができる。封止層１７０は多重層構造であってもよい。例えば、封止層１７０は下部封止層１７１及び上部封止層１７２を含むことができる。上部封止層１７２は吸湿物質１７０ｐを含むことができる。下部封止層１７１は上部保護膜１６０と下部封止層１７１の間に位置することができる。これにより、本発明の技術的思想による立体映像表示装置の表示パネル１００は、吸湿物質１７０ｐの膨張によって発光素子１４０によって加わる応力（ｓｔｒｅｓｓ）を下部封止層１７１によって緩和することができる。
【００３９】
バリアパネル２００は表示パネル１００上に位置することができる。バリアパネル２００は表示パネル１００によって具現された映像を分離することができる。例えば、視聴者の左眼と右眼にはバリアパネル２００によって相異なる映像が提供されることができる。視聴者はバリアパネル２００によって前記表示パネル１００が具現する映像を立体的に認識することができる。
【００４０】
バリアパネル２００は選択的に光を透過又は遮断することができる。例えば、バリアパネル２００は、下部バリア基板２１０、上部バリア基板２２０、バリア液晶層２３０、下部チャネル２４０、上部チャネル２５０、チャネル絶縁膜２６０及び共通電極２７０を含むことができる。
【００４１】
下部バリア基板２１０は表示パネル１００に近く位置することができる。例えば、下部バリア基板２１０は表示パネル１００の上部表示基板１８０上に位置することができる。
【００４２】
下部バリア基板２１０はアクティブ領域ＡＡ及び周辺領域ＰＡを含むことができる。表示パネル１００によって具現される映像はアクティブ領域ＡＡで分離されることができる。例えば、アクティブ領域ＡＡ内には透過領域及び遮光領域が位置することができる。周辺領域ＰＡはアクティブ領域ＡＡの外側に位置することができる。例えば、アクティブ領域ＡＡは周辺領域ＰＡによって取り囲まれることができる。周辺領域ＰＡは遮光領域であってもよい。
【００４３】
下部バリア基板２１０は絶縁性物質を含むことができる。下部バリア基板２１０は透明な物質を含むことができる。例えば、下部バリア基板２１０はガラスを含むことができる。
【００４４】
上部バリア基板２２０は下部バリア基板２１０上に位置することができる。上部バリア基板２２０は下部バリア基板２１０に平行であってもよい。例えば、上部バリア基板２２０は下部バリア基板２１０のアクティブ領域ＡＡ及び周辺領域ＰＡと重畳することができる。
【００４５】
上部バリア基板２２０は絶縁性物質を含むことができる。上部バリア基板２２０は透明な物質を含むことができる。上部バリア基板２２０は下部バリア基板２１０と同一の物質を含むことができる。例えば、上部バリア基板２２０はガラスを含むことができる。
【００４６】
バリア液晶層２３０は下部バリア基板２１０と上部バリア基板２２０の間に位置することができる。バリア液晶層２３０は、下部チャネル２４０、上部チャネル２５０及び共通電極２７０によって形成された電界によって透過率が変更されることができる。例えば、バリア液晶層２３０はＴＮモード液晶又はＥＣＢモード液晶を含むことができる。
【００４７】
下部チャネル２４０及び上部チャネル２５０は下部バリア基板２１０とバリア液晶層２３０の間に位置することができる。共通電極２７０はバリア液晶層２３０と上部バリア基板２２０の間に位置することができる。共通電極２７０は下部チャネル２４０及び上部チャネル２５０と垂直電界を形成することができる。下部チャネル２４０及び上部チャネル２５０はそれぞれバリア液晶層２３０の一定領域に垂直電界を印加することができる。例えば、下部チャネル２４０は上部チャネル２５０の間に位置することができる。上部チャネル２５０は下部チャネル２４０から絶縁されることができる。例えば、チャネル絶縁膜は下部チャネル２４０と上部チャネル２５０の間に位置することができる。バリア液晶層２３０内に位置する液晶は該当領域に印加される垂直電界によって回転することができる。例えば、下部チャネル２４０又は上部チャネル２５０と共通電極２７０の間に位置するバリア液晶層２３０の一部領域は該当下部チャネル２４０又は上部チャネル２５０に印加された電圧によって透過領域又は遮光領域として機能することができる。
【００４８】
下部チャネル２４０は下部バリア基板２１０に近く位置することができる。例えば、下部チャネル２４０は下部バリア基板２１０とチャネル絶縁膜２６０の間に位置することができる。下部チャネル２４０は積層構造であってもよい。例えば、それぞれの下部チャネル２４０は、第１サブチャネル２４１、第２サブチャネル２４２及び下部絶縁膜２４３を含むことができる。
【００４９】
第１サブチャネル２４１は下部バリア基板２１０上に位置することができる。例えば、第１サブチャネル２４１は下部バリア基板２１０と直接接触することができる。第１サブチャネル２４１は下部バリア基板２１０に平行な平板状であってもよい。
【００５０】
第１サブチャネル２４１は導電性物質を含むことができる。第１サブチャネル２４１は透明な物質を含むことができる。例えば、第１サブチャネル２４１はＩＴＯ又はＩＺＯを含むことができる。
【００５１】
第２サブチャネル２４２は第１サブチャネル２４１の一側端部から隣接した下部チャネル２４０の方向に伸びることができる。例えば、第２サブチャネル２４２は、第１サブチャネル２４１と連結される第１端部領域２４２ａ、第１端部領域２４２ａと対向する第２端部領域２４２ｂ及び第１端部領域２４２ａ及び第２端部領域２４２ｂの間に位置する中央領域２４２ｃを含むことができる。
【００５２】
第１端部領域２４２ａは第１サブチャネル２４１の一側端部と直接接触することができる。例えば、第１端部領域２４２ａは上部チャネル２５０に向かう第１サブチャネル２４１の上部面と直接接触することができる。第１サブチャネル２４１の一側端部は第１端部領域２４２ａと重畳する領域を含むことができる。
【００５３】
第２サブチャネル２４２は導電性物質を含むことができる。第２サブチャネル２４２は透明な物質を含むことができる。例えば、第２サブチャネル２４２はＩＴＯ又はＩＺＯを含むことができる。第２サブチャネル２４２は第１サブチャネル２４１と同一の物質を含むことができる。
【００５４】
下部絶縁膜２４３は第１サブチャネル２４１から離隔することができる。例えば、下部絶縁膜２４３は下部バリア基板２１０と第２サブチャネル２４２の第２端部領域２４２ｂの間に位置することができる。第２サブチャネル２４２の中央領域２４２ｃは第１サブチャネル２４１に向かう下部絶縁膜２４３の第１側壁ＴＳ１に沿って伸びることができる。すなわち、本発明の実施例による立体映像表示装置のバリアパネル２００は、各下部チャネル２４０の一側端部が下部チャネル２４０の他側端部と違う高さを有することができる。これにより、本発明の実施例による立体映像表示装置のバリアパネル２００は下部チャネル２４０の間を充分に絶縁し、隣接した下部チャネル２４０間の離隔距離を減少させることができる。
【００５５】
下部絶縁膜２４３は絶縁性物質を含むことができる。下部絶縁膜２４３は透明な物質を含むことができる。例えば、下部絶縁膜２４３はシリコン酸化物又はシリコン窒化物を含むことができる。
【００５６】
下部絶縁膜２４３は隣接した下部チャネル２４０の第１サブチャネル２４１上に伸びることができる。例えば、各下部チャネル２４０の第１サブチャネル２４１は隣接した下部チャネル２４０の下部絶縁膜２４３によって部分的に覆われることができる。各下部絶縁膜２４３は隣接した下部チャネル２４０の第１サブチャネル２４１と重畳する第２側壁ＴＳ２を含むことができる。
【００５７】
第２サブチャネル２４２の第２端部領域２４２ｂは上部チャネル２５０に向かう下部絶縁膜２４３の上部面上に位置することができる。例えば、各下部絶縁膜２４３の第２側壁ＴＳ２は第２サブチャネル２４２によって覆われなくてもよい。各下部チャネル２４０の第２サブチャネル２４２は該当下部絶縁膜２４３によって隣接した下部チャネル２４０の第１サブチャネル２４１から絶縁されることができる。これにより、本発明の実施例による立体映像表示装置のバリアパネル２００は、各下部チャネル２４０の第２サブチャネル２４２と隣接した下部チャネル２４０の第１サブチャネル２４１間の距離が大きく減少することができる。よって、本発明の実施例による立体映像表示装置のバリアパネル２００は、隣接した下部チャネル２４０間の離隔距離が最小化することができる。
【００５８】
第２サブチャネル２４２の第２端部領域２４２ｂは隣接した下部チャネル２４０の第１サブチャネル２４１の一部領域と重畳することができる。すなわち、本発明の実施例による立体映像表示装置のバリアパネル２００は、図４ｂに示したように、隣接した下部チャネル２４０のレイアウト（ｌａｙ−ｏｕｔ）が部分的に重畳することができる。これにより、本発明の実施例による立体映像表示装置は、バリア液晶層２３０に上部チャネル２５０又は下部チャネル２４０によって制御されない一定領域が発生することを防止することができる。よって、本発明の実施例による立体映像表示装置は、視聴者の位置によって立体映像の適正視聴範囲が円滑に移動することができる。
【００５９】
第２端部領域２４２ｂの水平長ｘ２は第１端部領域２４２ａの水平長ｘ１と同一であってもよい。これにより、本発明の実施例による立体映像表示装置のバリアパネル２００では第２サブチャネル２４２及び／又は上部チャネル２５０が誤整列（ｍｉｓ−ａｌｉｇｎｍｅｎｔ）される場合にも、バリア液晶層２３０における未駆動領域の発生を防止することができる。よって、本発明の実施例による立体映像表示装置は、工程マージン及び製造収率が向上することができる。
【００６０】
上部チャネル２５０は一定間隔で配置されることができる。各上部チャネル２５０によって制御されるバリア液晶層２３０の水平長は各下部チャネル２４０によって制御されるバリア液晶層２３０の水平長と同一であってもよい。例えば、上部チャネル２５０間の離隔距離ｄは上部チャネル２５０の水平幅Ｗと同一であってもよい。これにより、本発明の実施例による立体映像表示装置のバリアパネル２００は、透過領域及び遮光領域が等間隔で移動することができる。よって、本発明の実施例による立体映像表示装置のバリアパネル２００は、視聴者の移動によって立体映像の適正視聴範囲が一定間隔で移動することができる。すなわち、本発明の実施例による立体映像表示装置は、視聴者の移動による適正視聴範囲の移動が自然になることができる。
【００６１】
上部チャネル２５０は導電性物質を含むことができる。上部チャネル２５０は透明な物質を含むことができる。例えば、上部チャネル２５０はＩＴＯ又はＩＺＯを含むことができる。上部チャネル２５０は第２サブチャネル２４２と同一の物質を含むことができる。
【００６２】
チャネル絶縁膜２６０は絶縁性物質を含むことができる。チャネル絶縁膜２６０は透明な物質を含むことができる。チャネル絶縁膜２６０は下部絶縁膜２４３と屈折率がほぼ同一の物質を含むことができる。例えば、チャネル絶縁膜２６０は下部絶縁膜２４３と同一の物質を含むことができる。
【００６３】
共通電極２７０は導電性物質を含むことができる。共通電極２７０は透明な物質を含むことができる。例えば、共通電極２７０はＩＴＯ又はＩＺＯを含むことができる。共通電極２７０は上部チャネル２５０と同一の物質を含むことができる。
【００６４】
下部チャネル２４０及び上部チャネル２５０は一側方向に伸びることができる。例えば、下部チャネル２４０及び上部チャネル２５０はアクティブ領域ＡＡを横切ることができる。
【００６５】
本発明の実施例による立体映像表示装置のバリアパネル２００は、周辺領域ＰＡ上に位置するリンク配線ＢＬ１〜ＢＬｎを含むことができる。例えば、リンク配線ＢＬ１〜ＢＬｎはアクティブ領域ＡＡの周縁部に沿って伸びることができる。それぞれのリンク配線ＢＬ１〜ＢＬｎは下部チャネル２４０及び上部チャネル２５０の一つと連結されることができる。例えば、下部チャネル２４０及び上部チャネル２５０はそれぞれリンク配線ＢＬ１〜ＢＬｎと連結されて閉ループ（ｃｌｏｓｅｄ  ｌｏｏｐ）を形成することができる。
【００６６】
リンク配線ＢＬ１〜ＢＬｎは下部バリア基板２１０に近く位置することができる。例えば、リンク配線ＢＬ１〜ＢＬｎは下部バリア基板２１０と直接接触することができる。下部絶縁膜２４３は下部バリア基板２１０の周辺領域ＰＡ上に伸びることができる。リンク配線ＢＬ１〜ＢＬｎは下部絶縁膜２４３によって覆われることができる。下部絶縁膜２４３は各リンク配線ＢＬ１〜ＢＬｎの一部領域を露出するコンタクトホールＣＨ１、ＣＨ２を含むことができる。
【００６７】
第１サブチャネル２４１の水平長は第２サブチャネル２４２の水平長より小さくてもよい。例えば、各下部チャネル２４０は第２サブチャネル２４２を介してリンク配線ＢＬ１〜ＢＬｎと連結されることができる。
【００６８】
リンク配線ＢＬ１〜ＢＬｎは導電性物質を含むことができる。リンク配線ＢＬ１〜ＢＬｎは第１サブチャネル２４１より低い抵抗を有することができる。例えば、リンク配線ＢＬ１〜ＢＬｎは金属を含むことができる。
【００６９】
周辺領域ＰＡ上には電源電圧供給のための配線も位置することができる。例えば、共通電圧供給ラインＶｃｏｍ及び接地ラインＧＮＤは周辺領域ＰＡ上に位置することができる。共通電圧供給ラインＶｃｏｍ及び接地ラインＧＮＤはリンク配線ＢＬ１〜ＢＬｎの外側に位置することができる。共通電圧供給ラインＶｃｏｍ及び接地ラインＧＮＤはリンク配線ＢＬ１〜ＢＬｎに沿って伸びることができる。例えば、下部絶縁膜２４３は共通電圧供給ラインＶｃｏｍ及び接地ラインＧＮＤを覆うことができる。共通電圧供給ラインＶｃｏｍは共通電極２７０と連結されることができる。例えば、共通電極２７０と共通電圧供給ラインＶｃｏｍの間には導電性密閉部材２８０が位置することができる。導電性密閉部材２８０は導電性シール材（ｃｏｎｄｕｃｔｉｖｅ  ｓｅａｌｉｎｇ  ｍａｔｅｒｉａｌ）を含むことができる。導電性密閉部材２８０は下部絶縁膜２４３を貫通することができる。
【００７０】
ディスプレイ駆動部３００は表示パネル１００を駆動することができる。表示パネル１００は映像を具現するための信号をディスプレイ駆動部３００から受信することができる。例えば、ディスプレイ駆動部３００はデータ駆動部３１０及びスキャン駆動部３２０を含むことができる。
【００７１】
データ駆動部３１０は表示パネル１００にデータ信号を供給することができる。スキャン駆動部３２０は表示パネル１００にスキャン信号を順次印加することができる。データ駆動部３１０によって供給されるデータ信号はスキャン駆動部３２０によって印加されるスキャン信号と同期することができる。
【００７２】
本発明の実施例による立体映像表示装置は、ディスプレイ駆動部３００の動作に必要な信号を提供するためのタイミング制御部４００をさらに含むことができる。例えば、タイミング制御部４００は、データ駆動部３１０にデジタルビデオデータ及びソースタイミング制御信号を供給することができる。スキャン駆動部３２０はタイミング制御部４００からクロック信号、リセットクロック信号及びスタート信号を受信することができる。
【００７３】
本発明の実施例による立体映像表示装置は、視聴者の位置を感知するための視聴位置感知部５００をさらに含むことができる。例えば、視聴位置感知部５００は、表示パネル１００及びバリアパネル２００によって具現された映像を視聴する視聴者の位置情報を感知することができる。視聴位置感知部５００はカメラを含むことができる。
【００７４】
バリア駆動部６００はバリアパネル２００を駆動することができる。例えば、バリア駆動部６００は下部チャネル２４０及び上部チャネル２５０に個別的又は領域別に電圧を印加することができる。バリア駆動部６００は視聴者の位置によってバリアパネル２００を制御することができる。例えば、バリア駆動部６００は視聴位置感知部５００の信号によって下部チャネル２４０及び上部チャネル２５０に印加される電圧を調節して、バリアパネル２００のアクティブ領域ＡＡ内で透過領域及び遮光領域をシフトすることができる。
【００７５】
結果的に、本発明の実施例による立体映像表示装置はバリアパネル２００が透過領域及び遮光領域を形成するための下部チャネル２４０及び上部チャネル２５０を含み、下部チャネル２４０の両側端部が違う高さを有することにより、隣接した下部チャネル２４０間の離隔距離が最小化することができる。これにより、本発明の実施例による立体映像表示装置は、製造収率の減少なしに、視聴者の移動によって立体映像の適正視聴範囲が自然に移動することができる。よって、本発明の実施例による立体映像表示装置は、立体映像の品質が向上することができる。
【００７６】
本発明の実施例による立体映像表示装置は、アクティブ領域ＡＡの周縁部に沿って伸びるリンク配線ＢＬ１〜ＢＬｎがアクティブ領域ＡＡの中心を基準に非対称状に配置されることができる。例えば、図３ａに示したように、本発明の実施例による立体映像表示装置は、バリア駆動部６００と連結されるリンク配線ＢＬ１〜ＢＬｎの端部がバリアパネル２００の中心からバリアパネル２００の一側面方向にちょっと移動することができる。これにより、本発明の実施例による立体映像表示装置は、バリア駆動部６００と連結されるリンク配線ＢＬ１〜ＢＬｎの端部が下部チャネル２４０及び上部チャネル２５０の連結構造に影響を及ぼすことがない。よって、本発明の実施例による立体映像表示装置は、製造工程の効率が向上することができる。
【００７７】
本発明の実施例による立体映像表示装置は、バリアパネル２００の下部絶縁膜２４３が各下部チャネル２４０の第１サブチャネル２４１の一側端部を露出し、下部チャネル２４０と同方向に伸びる下部コンタクトホールＴＨを含むことができる。例えば、本発明の実施例による立体映像表示装置は、図３ｂに示したように、それぞれの下部コンタクトホールＴＨが第１サブチャネル２４１より長く、第２サブチャネル２４２より短い水平長を有することができる。下部コンタクトホールＴＨは同じ水平長を有することができる。例えば、本発明の実施例による立体映像表示装置は、各下部チャネル２４０の第１サブチャネル２４１の水平長が同一であってもよい。
【００７８】
本発明の実施例による立体映像表示装置はバリアパネル２００がアクティブ領域ＡＡを横切る下部コンタクトホールＴＨを含むものとして説明した。しかし、本発明の他の実施例による立体映像表示装置は、下部絶縁膜２４３の下部コンタクトホールＴＨが第１サブチャネル２４１より短い水平長を有することができる。例えば、本発明の他の実施例による立体映像表示装置は、図５に示したように、バリアパネル２００の下部絶縁膜２４３がアクティブ領域ＡＡ内に位置する下部コンタクトホールＴＨを含むことができる。これにより、本発明の他の実施例による立体映像表示装置は、各下部チャネル２４０がリンク配線ＢＬ１〜ＢＬ５から確かに絶縁されることができる。よって、本発明の他の実施例による立体映像表示装置は、バリア液晶層２３０の駆動に対する信頼性が向上することができる。
【００７９】
本発明の実施例による立体映像表示装置はバリアパネル２００がトレンチ形の下部コンタクトホールＴＨを含むものとして説明した。しかし、本発明の他の実施例による立体映像表示装置は、バリアパネル２００の下部コンタクトホールＴＣがアクティブ領域ＡＡ内で第１サブチャネル２４１の一側端部を部分的に露出することができる。例えば、本発明の他の実施例による立体映像表示装置は、図６Ａ及び６Ｂに示したように、隣接した二つの下部チャネル２４０で下部コンタクトホールＴＣの位置が違ってもよい。これにより、本発明の他の実施例による立体映像表示装置は、各下部チャネル２４０の下部コンタクトホールＴＣが自由に配置されることができる。よって、本発明の他の実施例による立体映像表示装置は、製造効率が向上することができる。
【００８０】
本発明の実施例による立体映像表示装置はバリアパネル２００の下部コンタクトホールＴＨがアクティブ領域ＡＡ内に位置する領域を含むものとして説明した。しかし、本発明の他の実施例による立体映像表示装置は周辺領域ＰＡ上に位置することができる。例えば、本発明の他の実施例による立体映像表示装置は、図７に示したように、バリアパネル２００がアクティブ領域ＡＡと一番目リンク配線ＢＬ１の間に位置する下部コンタクトホールＴＣを含むことができる。これにより、本発明の他の実施例による立体映像表示装置は、下部コンタクトホールＴＣの位置に対する自由度が向上することができる。また、本発明の他の実施例による立体映像表示装置は、下部コンタクトホールＴＣによる透過率変化を防止することができる。よって、本発明の他の実施例による立体映像表示装置は、製造効率及び立体映像の品質が向上することができる。
【００８１】
本発明の実施例による立体映像表示装置は、図２ａに示したように、前面線形偏光板７１０、後面線形偏光板７２０及び１／４波長板８００をさらに含むことができる。バリアパネル２００は前面線形偏光板７１０と後面線形偏光板７２０の間に位置することができる。１／４波長板８００は表示パネル１００及び前面線形偏光板７１０の間に位置することができる。例えば、１／４波長板８００及び前面線形偏光板７１０は表示パネル１００上に順に積層されることができる。これにより、本発明の実施例による立体映像表示装置は、外光反射を防止することができる。よって、本発明の実施例による立体映像表示装置は、立体映像の品質が向上することができる。
【００８２】
本発明の実施例による立体映像表示装置は、発光素子１４０を含む表示パネル１００上にバリアパネル２００が位置するものとして説明した。しかし、図８に示したように、本発明の他の実施例による立体映像表示装置は、バリアパネル２００が表示パネル１００と発光素子９００の間に位置することができる。例えば、本発明の他の実施例による立体映像表示装置の表示パネル１００は液晶パネルであってもよい。発光素子９００はバックライトユニットとして機能することができる。前面線形偏光板７１０及び後面線形偏光板７２０はバリアパネル２００と直接接触することができる。表示パネル１００の外側表面上にはイメージ線形偏光板７３０がさらに位置することができる。これにより、本発明の他の実施例による立体映像表示装置は、表示パネル１００とバリアパネル２００の相対的位置に関係なく、視聴者の位置によって立体映像の視聴適正範囲が自然に移動することができる。
【００８３】
本発明の他の実施例による立体映像表示装置は発光素子９００と表示パネル１００の間にバリアパネル２００が位置するものとして説明した。しかし、図９に示したように、本発明のさらに他の実施例による立体映像表示装置は、表示パネル１００が発光素子９００とバリアパネル２００の間に位置することができる。発光素子９００と表示パネル１００の間にはイメージ線形偏光板７４０が位置することができる。イメージ線形偏光板７４０と前面線形偏光板７１０は表示パネル１００と直接接触することができる。これにより、本発明の他の実施例による立体映像表示装置は、多様な位置の表示パネル１００とバリアパネル２００で移動する視聴者に立体映像を円滑に提供することができる。
【符号の説明】
【００８４】
１００    表示パネル
２００    バリアパネル
２１０    下部バリア基板
２２０    上部バリア基板
２３０    バリア液晶層
２４０    下部チャネル
２４１    第１サブチャネル
２４２    第２サブチャネル
２４３    下部絶縁膜
２５０    上部チャネル
２６０    チャネル絶縁膜
【図１】
2019082679.tif 000003
【図２ａ】
2019082679.tif 000004
【図２ｂ】
2019082679.tif 000005
【図３ａ】
2019082679.tif 000006
【図３ｂ】
2019082679.tif 000007
【図４ａ】
2019082679.tif 000008
【図４ｂ】
2019082679.tif 000009
【図５】
2019082679.tif 000010
【図６ａ】
2019082679.tif 000011
【図６ｂ】
2019082679.tif 000012
【図７】
2019082679.tif 000013
【図８】
2019082679.tif 000014
【図９】
2019082679.tif 000015